(57)【要約】【課題】 迷惑ＳＭＳメッセージ受信によるパケット発信の抑制を可能とすることによって、ユーザに不本意な課金が課せられることを防止することができ、また、円滑なパケット着信制御を行うこと。【解決手段】 移動通信ネットワーク１０以外の他ネットワークであるＩＳＰ２０のアドレスを示すＵＲＬを、移動通信ネットワーク１０のプッシュイニシエータ装置１３に記憶する。ＩＳＰ２０から移動通信ネットワーク１０を介した移動端末機３０へのパケット着信要求時に、プッシュイニシエータ装置１３に記憶された該当ＩＳＰ２０に対応するＵＲＬをＳＭＳメッセージにプッシュゲートウェイ装置１２で記述する。このＵＲＬが記述されたＳＭＳメッセージを、移動通信ネットワーク１０から該当移動端末機３０へ送信するようにした。【選択図】図１
2008306745.tif 000002
【特許請求の範囲】
【請求項１】
移動通信ネットワークと無線通信を行い、パケット発信を促すＳＭＳメッセージの受信時にパケット発信を行う移動端末機において、
前記パケット発信を許容するパケット発信先のＵＲＬデータを記憶する第１の記憶手段と、
前記第１の記憶手段に記憶されたＵＲＬデータと、前記ＳＭＳメッセージに記述されたＵＲＬデータとを照合し、双方のＵＲＬデータの一致／不一致を判定する第１の照合手段と、
前記第１の照合手段で前記一致と判定された場合にパケット発信を行い、前記不一致と判定された場合にパケット発信を行わないように制御する制御手段と
を備えたことを特徴とする移動端末機。
【請求項２】
キー入力操作によってパケット発信許可の情報が設定される設定手段を備え、
前記制御手段は、前記第１の照合手段で前記不一致と判定された場合に、前記設定手段に前記パケット発信許可の情報が設定されていれば、パケット発信制御を行う
ことを特徴とする請求項１に記載の移動端末機。
【請求項３】
前記設定手段に、キー入力操作によってユーザへのパケット発信確認の情報を設定し、
前記制御手段は、前記第１の照合手段で前記不一致と判定された場合に、前記設定手段に前記パケット発信確認の情報が設定されていれば、ユーザにパケット発信を行うか否かの確認の内容を表示手段に表示し、この表示内容に応じてユーザがパケット発信の許可を入力した際にパケットを発信する制御を行う
ことを特徴とする請求項１に記載の移動端末機。
【請求項４】
移動通信ネットワークと無線通信を行い、パケット発信を促すＳＭＳメッセージの受信時にパケット発信を行う移動端末機において、
前記パケット発信を許容するための前記ＳＭＳメッセージに記述された送信元アドレスを記憶する第２の記憶手段と、
前記第２の記憶手段に記憶された送信元アドレスと、前記ＳＭＳメッセージに記述された送信元アドレスとを照合し、双方の送信元アドレスの一致／不一致を判定する第２の照合手段と、
前記第２の照合手段で前記一致と判定された場合にパケット発信を行い、前記不一致と判定された場合にパケット発信を行わないように制御する制御手段と
を備えたことを特徴とする移動端末機。
【請求項５】
キー入力操作によってパケット発信許可の情報が設定される設定手段を備え、
前記制御手段は、前記第２の照合手段で前記不一致と判定された場合に、前記設定手段に前記パケット発信許可の情報が設定されていれば、パケット発信制御を行う
ことを特徴とする請求項４に記載の移動端末機。
【請求項６】
前記設定手段に、キー入力操作によってユーザへのパケット発信確認の情報を設定し、
前記制御手段は、前記第２の照合手段で前記不一致と判定された場合に、前記設定手段に前記パケット発信確認の情報が設定されていれば、ユーザにパケット発信を行うか否かの確認の内容を表示手段に表示し、この表示内容に応じてユーザがパケット発信の許可を入力した際にパケットを発信する制御を行う
ことを特徴とする請求項４に記載の移動端末機。
【発明の詳細な説明】
【技術分野】
【０００１】
本発明は、携帯電話機等の移動端末機で短い文字メッセージを送受信するためのＳＭＳ(Short Message Service)を用いてパケットデータの着信を行う移動通信ネットワークにおいて、移動端末機で、悪意ある第三者からの迷惑ＳＭＳメッセージが受信された場合に、無駄なパケットデータの発信を抑制することが可能なパケット着信制御を行うためのショートメッセージサービスを用いた移動端末機に関する。
【背景技術】
【０００２】
従来のパケット着信制御方法においては、移動通信ネットワークから送信されたＳＭＳメッセージが移動端末機で受信されると、移動端末機は、そのＳＭＳメッセージに記述されたＵＲＬ(Uniform Resource Locator)又は、当該移動端末機に保持されたＵＲＬへパケットデータ（以降、パケットと略す）を発信することによって、発信先のＵＲＬから所定のパケットを受信（着信）するようになっている。
【０００３】
この種の従来の方法として、例えば特許文献１に記載のものがある。
特許文献１の内容は、パケットが移動端末機を終点とする時、ＳＭＳメッセージが移動端末機へ最初に送信される。そこへのパケットの送信を許可するかどうかの決定（選択）を移動端末機で行い、ここで、許可が与えられた場合に、移動端末機へパケットが送信されるといった内容である。
【特許文献１】特開２００１−５１７９１１号公報（要約書、特許請求の範囲）
【発明の開示】
【発明が解決しようとする課題】
【０００４】
しかし、従来のパケット着信制御方法においては、第三者からの迷惑ＳＭＳメッセージが移動端末機に着信されることによって、ユーザが意図しないＵＲＬへ移動端末機からパケット発信が行われる。また、その迷惑ＳＭＳメッセージが大量であったりすると、大量にパケット発信が行われる。これらの様な場合、ユーザに不本意な課金が課せられるという問題がある。
【０００５】
上記の特許文献１においては、ＳＭＳメッセージが移動端末機で着信された際に、そこへのパケット発信を許可するかどうかの決定（選択）を移動端末機で行うが、これは現行方式として移動端末機におけるユーザの操作で行われるようになっている。このため、パケット着信の都度、ユーザ操作が必要となるので、迷惑ＳＭＳメッセージが着信されない通常時においては、円滑なパケット着信制御を行うことができないという問題がある。
【０００６】
本発明は、このような課題に鑑みてなされたものであり、迷惑ＳＭＳメッセージ受信によるパケット発信の抑制を可能とすることによって、ユーザに不本意な課金が課せられることを防止することができ、また、円滑なパケット着信制御を行うことができるショートメッセージサービスを用いたパケット着信制御システム、移動端末機を提供することを目的としている。
【課題を解決するための手段】
【０００７】
上記目的を達成するために、本発明の請求項１による移動端末機は、移動通信ネットワークと無線通信を行い、パケット発信を促すＳＭＳメッセージの受信時にパケット発信を行う移動端末機において、前記パケット発信を許容するパケット発信先のＵＲＬデータを記憶する第１の記憶手段と、前記第１の記憶手段に記憶されたＵＲＬデータと、前記ＳＭＳメッセージに記述されたＵＲＬデータとを照合し、双方のＵＲＬデータの一致／不一致を判定する第１の照合手段と、前記第１の照合手段で前記一致と判定された場合にパケット発信を行い、前記不一致と判定された場合にパケット発信を行わないように制御する制御手段とを備えたことを特徴としている。
この構成によれば、移動端末機において、ＳＭＳメッセージに記述されたパケット発信先のＵＲＬが、当該移動端末機のユーザの意図するＵＲＬかどうかのチェックを行って、意図するＵＲＬの場合にのみ、そのＵＲＬへパケット発信を行うことができる。
【０００８】
また、本発明の請求項２による移動端末機は、請求項１において、キー入力操作によってパケット発信許可の情報が設定される設定手段を備え、前記制御手段は、前記第１の照合手段で前記不一致と判定された場合に、前記設定手段に前記パケット発信許可の情報が設定されていれば、パケット発信制御を行うことを特徴としている。
この構成によれば、移動端末機において、ＳＭＳメッセージに記述されたパケット発信先のＵＲＬが、当該移動端末機のユーザの意図するＵＲＬでない場合でも、ユーザがパケット発信を許可していれば、そのＵＲＬへパケット発信を行うことができる。
【０００９】
また、本発明の請求項３による移動端末機は、請求項１において、前記設定手段に、キー入力操作によってユーザへのパケット発信確認の情報を設定し、前記制御手段は、前記第１の照合手段で前記不一致と判定された場合に、前記設定手段に前記パケット発信確認の情報が設定されていれば、ユーザにパケット発信を行うか否かの確認の内容を表示手段に表示し、この表示内容に応じてユーザがパケット発信の許可を入力した際にパケットを発信する制御を行うことを特徴としている。
【００１０】
この構成によれば、移動端末機において、ＳＭＳメッセージに記述されたパケット発信先のＵＲＬが、当該移動端末機のユーザの意図するＵＲＬでない場合でも、ユーザにパケット発信を許可するか否かの確認を行って、ユーザが許可を入力すれば、そのＵＲＬへパケット発信を行うことができる。つまり、ユーザの意図とことなるＵＲＬへのパケット発信を必ずしも自動的に排除するばかりでなく、ユーザが、そのＵＲＬを確認して許可を与えれば、そのＵＲＬへパケット発信を行うことができるので、より柔軟なパケット発信の制御を行うことが可能となる。
【００１１】
また、本発明の請求項４による移動端末機は、移動通信ネットワークと無線通信を行い、パケット発信を促すＳＭＳメッセージの受信時にパケット発信を行う移動端末機において、前記パケット発信を許容するための前記ＳＭＳメッセージに記述された送信元アドレスを記憶する第２の記憶手段と、前記第２の記憶手段に記憶された送信元アドレスと、前記ＳＭＳメッセージに記述された送信元アドレスとを照合し、双方の送信元アドレスの一致／不一致を判定する第２の照合手段と、前記第２の照合手段で前記一致と判定された場合にパケット発信を行い、前記不一致と判定された場合にパケット発信を行わないように制御する制御手段とを備えたことを特徴としている。
この構成によれば、移動端末機において、ＳＭＳメッセージに記述された送信元アドレスのチェックを行って、ＳＭＳメッセージに信頼性があるか否かを判定することができる。
【００１２】
また、本発明の請求項５による移動端末機は、請求項４において、キー入力操作によってパケット発信許可の情報が設定される設定手段を備え、前記制御手段は、前記第２の照合手段で前記不一致と判定された場合に、前記設定手段に前記パケット発信許可の情報が設定されていれば、パケット発信制御を行うことを特徴としている。
この構成によれば、移動端末機において、ＳＭＳメッセージに記述された送信元アドレスが、信頼性が無いと思われる場合でも、ユーザの裁量でパケット発信を許可することができるので、柔軟なパケット発信の制御を行うことが可能となる。
【００１３】
また、本発明の請求項６による移動端末機は、請求項４において、前記設定手段に、キー入力操作によってユーザへのパケット発信確認の情報を設定し、前記制御手段は、前記第２の照合手段で前記不一致と判定された場合に、前記設定手段に前記パケット発信確認の情報が設定されていれば、ユーザにパケット発信を行うか否かの確認の内容を表示手段に表示し、この表示内容に応じてユーザがパケット発信の許可を入力した際にパケットを発信する制御を行うことを特徴としている。
この構成によれば、移動端末機において、ＳＭＳメッセージに記述された送信元アドレスが、信頼性が無いと思われる場合でも、ユーザの裁量でパケット発信を許可することができるので、柔軟なパケット発信の制御を行うことが可能となる。
【発明の効果】
【００１４】
以上説明したように本発明は、移動端末機において、ＳＭＳメッセージに記述されたパケット発信先のＵＲＬが、当該移動端末機のユーザの意図するＵＲＬかどうかのチェックを行って、意図するＵＲＬの場合にのみ、そのＵＲＬへパケット発信を行うことができるようにした。
また、移動端末機において、ＳＭＳメッセージに記述された送信元アドレスのチェックを行って、ＳＭＳメッセージに信頼性があるか否かを判定することができるようにした。
これによって、他の移動通信ネットワークからのＳＭＳメッセージ受信においても、不要なパケット発信を抑止することができる。
従って、迷惑ＳＭＳメッセージ受信によるパケット発信の抑制を可能とすることによって、ユーザに不本意な課金が課せられることを防止することができ、また、円滑なパケット着信制御を行うことができるという効果がある。
【発明を実施するための最良の形態】
【００１５】
以下、本発明の実施の形態を、図面を参照して説明する。
（実施の形態）
図１は、本発明の実施の形態に係るショートメッセージサービスを用いたパケット着信制御システムの構成を示す図である。
最初に、本実施の形態のパケット着信制御システムの特徴を、次の（１）〜（３）に記述する。
（１）移動端末機へ送信されるＳＭＳメッセージに記述するパケット発信先のＵＲＬを、予めＩＳＰ毎に移動通信ネットワークに記憶しておき、他のネットワーク、例えばＩＳＰ(Internet Service Provider)からのパケット着信要求時に、移動通信ネットワークに記憶された該当ＩＳＰに対応するパケット発信先のＵＲＬをＳＭＳメッセージに記述し、このＳＭＳメッセージを移動端末機へ送信する。
【００１６】
（２）移動端末機へ送信されるＳＭＳメッセージに信頼性があるかどうかをチェックするために、ＳＭＳメッセージに記述された送信元アドレスと予め移動端末機に記憶されたＳＭＳ送信元アドレスとの照合を行い、一致した場合のみ、ＳＭＳメッセージに記述されたＵＲＬへパケット発信を行う。
（３）移動端末機において、ＳＭＳメッセージに記述されたパケット発信先のＵＲＬが移動端末機のユーザの意図するＵＲＬかどうかのチェックを行うために、移動端末機に予め記憶されたＵＲＬとＳＭＳメッセージに記述されたＵＲＬとの照合を行い、一致した場合のみ、そのＵＲＬへパケット発信を行う。
【００１７】
図１に示すパケット着信制御システムは、移動通信ネットワーク１０と、ＩＳＰ２０と、移動端末機３０とを備えて構成されている。移動通信ネットワーク１０は、無線基地局１１と、プッシュゲートウェイ装置１２と、プッシュイニシエータ装置１３と、パケット交換機１４と、パケットゲート交換機１５とを備えて構成されている。
【００１８】
次に、これらの構成要素の説明を行う。
無線基地局１１は、移動端末機３０と電波による無線回線を介して通信を行うと共に、有線回線を介してプッシュゲートウェイ装置１２及びパケット交換機１４と通信を行う。プッシュゲートウェイ装置１２は、有線回線を介してプッシュイニシエータ装置１３と通信を行う。プッシュイニシエータ装置１３は、有線回線を介してＩＳＰ２０と通信を行うようになっている。
なお、無線基地局１１とプッシュゲートウェイ装置１２との間に、ＳＭＳメッセージを転送する装置を入れてもよい。
パケット交換機１４は、有線回線を介してパケットゲート交換機１５と通信を行う。パケットゲート交換機１５は、有線回線を介してＩＳＰ２０と通信を行うようになっている。
【００１９】
また、プッシュゲートウェイ装置１２、プッシュイニシエータ装置１３、パケット交換機１４及びパケットゲート交換機１５は、どのような組み合わせでも同一の装置に配備されることが可能である。例えば、プッシュゲートウェイ装置１２とプッシュイニシエータ装置１３とが同一装置に配備され、また、パケット交換機１４とパケットゲート交換機１５とが同一装置に配備されるようなことが可能である。
ＩＳＰ２０は、移動端末機３０にパケット着信を行う際に、プッシュイニシエータ装置１３へパケット着信要求を行う。
【００２０】
プッシュイニシエータ装置１３は、移動端末機３０へ送信されるＳＭＳメッセージに記述するパケット発信先のＵＲＬを、予めＩＳＰ毎に記憶している。そして、ＩＳＰ２０からのパケット着信要求時に、予め記憶された該当ＩＳＰ２０に対応するパケット発信先のＵＲＬを含めて、ＳＭＳメッセージ送信依頼を、プッシュゲートウェイ装置１２に対して行う。
プッシュゲートウェイ装置１２は、プッシュイニシエータ装置１３からのＳＭＳメッセージ送信依頼を受けると、その依頼と共に送られてきたＵＲＬをＳＭＳメッセージに記述し、このＳＭＳメッセージを、無線基地局１１を介して移動端末機３０へ送信する。このプッシュゲートウェイ装置１２以降の手順であるＳＭＳ着信制御については、３ＧＰＰ標準２３．０４０に規定されている一般的な手順である。
【００２１】
パケット交換機１４は、移動端末機３０から無線基地局１１を介して送信されてきたパケットを、パケットゲート交換機１５へ送信すると共に、この逆方向にもパケットの送信を行うものである。
パケットゲート交換機１５は、パケット交換機１４から送信されてきたパケットを、送信先のＩＳＰ２０への伝送形式に変換して当該ＩＳＰ２０へ送信すると共に、この逆方向にもパケットの送信を行うものである。
【００２２】
移動端末機３０は、本実施の形態の特徴要素として図２に示すように、ＳＭＳ送信元アドレス記憶部３１と、アドレス照合部３２と、パケット発信許可設定部３３と、表示部３５と、パケット発信制御部３６と、パケット発信許容ＵＲＬ記憶部３７と、ＵＲＬ照合部３８とを備えて構成されている。
ＳＭＳ送信元アドレス記憶部３１は、ユーザが許容するＳＭＳ送信元アドレスを記憶するものである。但し、ＳＭＳ送信元アドレスは、移動端末機３０がデフォルト値として予め記憶しており、それをユーザが任意に選択して残したり、又は任意に追加したりすることが可能となっている。
【００２３】
また、ＳＭＳ送信元アドレスは、ＳＭＳメッセージを作成する装置のアドレスとなるので、ここでは、プッシュゲートウェイ装置１２のアドレスとなる。更に説明すると、プッシュゲートウェイ装置１２が別の装置にＳＭＳメッセージ送信を依頼する場合は、その装置のアドレスとなる。このアドレスは、一般的にＩＴＵ・ＴのＥ．１６４に規定されている番号である。
【００２４】
アドレス照合部３２は、ＳＭＳ送信元アドレス記憶部３１に記憶されたＳＭＳ送信元アドレスと、プッシュゲートウェイ装置１２から送信されてくるＳＭＳメッセージに記述された送信元アドレス（ＳＭＳ記述送信元アドレス）とを照合し、一致／不一致を判定するものである。このアドレスの照合は、双方のアドレスの任意桁数の照合を行い、全桁の照合を行わないことも可能である。
【００２５】
パケット発信許容ＵＲＬ記憶部３７は、ユーザが許容するパケット発信先のＵＲＬ（パケット発信許容ＵＲＬ）を記憶するものである。但し、パケット発信許容ＵＲＬは、移動端末機３０がデフォルト値として予め記憶しており、それをユーザが任意に選択して残したり、又は任意に追加したりすることが可能となっている。
ＵＲＬ照合部３８は、パケット発信許容ＵＲＬ記憶部３７に記憶されたパケット発信許容ＵＲＬと、プッシュゲートウェイ装置１２から送信されてくるＳＭＳメッセージに記述されたＵＲＬ（ＳＭＳ記述ＵＲＬ）とを照合し、一致／不一致を判定するものである。このＵＲＬの照合は、双方のＵＲＬの任意文字の照合を行い、全文字の照合を行わないことも可能である。
【００２６】
パケット発信許可設定部３３は、アドレス照合部３２でアドレス不一致、又はＵＲＬ照合部３８でＵＲＬ不一致と判定された場合でも、ユーザの意図によってパケットの発信を許可するための情報を記憶して設定するものである。その設定情報は２つあり、一方はパケット発信許可、他方はユーザへのパケット発信確認の各設定情報であり、何れか１つが、ユーザのキー操作によって設定されるようになっている。
【００２７】
パケット発信制御部３６は、アドレス照合部３２でアドレス一致と判定された場合にパケット発信制御を行い、アドレス不一致と判定された場合に、尚且つパケット発信許可設定部３３にパケット発信許可又はパケット発信確認が設定されていなければ、パケット発信制御を行わない。また、アドレス不一致と判定された場合に、尚且つパケット発信許可設定部３３にパケット発信許可が設定されていれば、パケット発信制御を行う。また、アドレス不一致と判定された場合に、尚且つパケット発信許可設定部３３にパケット発信確認が設定されていれば、表示部３５にユーザへのパケット発信を確認する内容を表示し、この表示に応じてユーザがパケット発信を許可する入力操作を行った場合にパケット発信制御を行い、許可しない入力操作を行った場合にパケット発信制御を行うようになっている。
【００２８】
また、パケット発信制御部３６は、ＵＲＬ照合部３８でＵＲＬ一致と判定された場合にパケット発信制御を行い、ＵＲＬ不一致と判定された場合に、尚且つパケット発信許可設定部３３にパケット発信許可又はパケット発信確認が設定されていなければ、パケット発信制御を行わない。また、ＵＲＬ不一致と判定された場合に、尚且つパケット発信許可設定部３３にパケット発信許可が設定されていれば、パケット発信制御を行う。また、ＵＲＬ不一致と判定された場合に、尚且つパケット発信許可設定部３３にパケット発信確認が設定されていれば、表示部３５にユーザへのパケット発信を確認する内容を表示し、この表示に応じてユーザがパケット発信を許可する入力操作を行った場合にパケット発信制御を行い、許可しない入力操作を行った場合にパケット発信制御を行うようになっている。
更に、パケット発信制御部３６は、上記のアドレス一致／不一致に関る制御を第１の制御、ＵＲＬ一致／不一致に関る制御を第２の制御とすると、第１及び第２の制御の何れか一方を行う場合と、双方を組み合わせて行う場合とがある。
【００２９】
次に、このような構成のパケット着信制御システムによるパケット着信制御処理の動作を、図３に示すフローチャートを参照して説明する。
但し、パケット発信制御部３６が、上述したように第１及び第２の制御の双方を組み合わせて行うことを前提とする。
まず、ステップＳ１において、ＩＳＰ２０によって、プッシュイニシエータ装置１３へパケット着信要求が行われたとする。ステップＳ２において、プッシュイニシエータ装置１３で、そのパケット着信要求が受信されると、予め記憶された該当ＩＳＰ２０に対応するパケット発信先のＵＲＬを含めたＳＭＳメッセージ送信依頼が、プッシュゲートウェイ装置１２に対して行われる。
【００３０】
ステップＳ３において、プッシュゲートウェイ装置１２で、そのＳＭＳメッセージ送信依頼が受信されると、その依頼と共に受信されたＵＲＬがＳＭＳメッセージに記述され、このＳＭＳメッセージが無線基地局１１を介して移動端末機３０へ送信される。
ステップＳ４において、移動端末機３０で、ＳＭＳメッセージが受信されると、ステップＳ５において、その受信されたＳＭＳメッセージがパケット発信を促すものであるか否かが判断される。この判断結果、パケット発信を促すＳＭＳメッセージでなければ、ステップＳ６において、通常のＳＭＳメッセージの受信処理が実行される。
【００３１】
一方、パケット発信を促すＳＭＳメッセージであれば、ステップＳ７において、アドレス照合部３２により、ＳＭＳ送信元アドレス記憶部３１に記憶されたＳＭＳ送信元アドレスと、プッシュゲートウェイ装置１２から受信したＳＭＳ記述送信元アドレスとの照合が行われ、双方のアドレスが一致しているか否かが判断される。
この結果、アドレスが一致していれば、ステップＳ８において、更に、ＵＲＬ照合部３８により、パケット発信許容ＵＲＬ記憶部３７に記憶されたパケット発信許容ＵＲＬと、プッシュゲートウェイ装置１２から受信したＳＭＳ記述ＵＲＬとの照合が行われ、双方のＵＲＬが一致しているか否かが判断される。
【００３２】
この結果、ＵＲＬが一致していれば、ステップＳ９において、ＳＭＳメッセージに記述されたＵＲＬへパケットを発信する制御が行われる。即ち、移動端末機３０から発信されたパケットが、無線基地局１１、パケット交換機１４及びパケットゲート交換機１５を介して、該当するＩＳＰ２０へ送信される。これに応じて、ＩＳＰ２０から送信された所定のパケットが、パケットゲート交換機１５、パケット交換機１４及び無線基地局１１を介して移動端末機３０で着信される。
【００３３】
一方、ステップＳ７又はステップＳ８の結果が不一致あれば、ステップＳ１０において、パケット発信制御部３６により、パケット発信許可設定部３３にパケット発信許可又はユーザへのパケット発信確認が設定されているか否かが判断される。この結果、設定が行われていなければ、ステップＳ１１に示すように、パケット発信制御は行われない。
設定が行われていれば、ステップＳ１２において、その設定がパケット発信許可の設定か否かが判断される。この結果、パケット発信許可であれば、ステップＳ９に進む。この場合、上述したと同様のパケット発信制御が行われる。また、パケット発信許可でなければ、ステップＳ１３に進む。この場合は、パケット発信確認の設定が行われているので、パケット発信制御部３６によって、ユーザにパケット発信を確認するための内容が表示部３５に表示される。
【００３４】
そして、これを見たユーザがパケット発信の許可又は不許可の入力操作を行う。つまり、ステップＳ１４において、パケット発信許可入力か否かが判断される。この結果、許可入力でない、即ち不許可入力であれば、ステップＳ１１に示すように、パケット発信は行われない。一方、許可入力であれば、ステップＳ９に進んで、上述したようにパケット発信の制御が実行される。
なお、上記のパケット着信制御処理においては、ステップＳ７においてアドレス照合を行ってから、ステップＳ８でＵＲＬ照合を行ったが、逆の順序でもよい。
【００３５】
このように、本実施の形態のパケット着信制御システムによれば、移動通信ネットワーク１０以外の他ネットワークであるＩＳＰ２０のアドレスを示すＵＲＬを、移動通信ネットワーク１０のプッシュイニシエータ装置１３に記憶する。ＩＳＰ２０から移動通信ネットワーク１０を介した移動端末機３０へのパケット着信要求時に、プッシュイニシエータ装置１３に記憶された該当ＩＳＰ２０に対応するＵＲＬをＳＭＳメッセージにプッシュゲートウェイ装置１２で記述する。このＵＲＬが記述されたＳＭＳメッセージを、移動通信ネットワーク１０から該当移動端末機３０へ送信するようにした。
【００３６】
この構成によれば、パケット着信要求を行ったＩＳＰ２０のＵＲＬが移動通信ネットワーク１０に予め記憶されたＵＲＬ中に存在する場合にのみ、そのＵＲＬを、移動端末機３０に対してパケット発信を促すためのＳＭＳメッセージに記述し、このＳＭＳメッセージを移動端末機３０へ送信するようにした。これによって、移動端末機３０において不要なパケット発信先のＵＲＬを排除することができる。
【００３７】
また、移動端末機３０において、パケット発信を許容するパケット発信先のＵＲＬを記憶するパケット発信許容ＵＲＬ記憶部３７と、パケット発信許容ＵＲＬ記憶部３７に記憶されたＵＲＬと、ＳＭＳメッセージに記述されたＵＲＬとを照合し、双方のＵＲＬの一致／不一致を判定するＵＲＬ照合部３８と、ＵＲＬ照合部３８で一致と判定された場合にパケット発信を行い、不一致と判定された場合にパケット発信を行わないように制御するパケット発信制御部３６とを備えた。
【００３８】
更に、パケット発信を許容するためのＳＭＳメッセージに記述された送信元アドレスを記憶するＳＭＳ送信元アドレス記憶部３１と、ＳＭＳ送信元アドレス記憶部３１に記憶された送信元アドレスと、ＳＭＳメッセージに記述された送信元アドレスとを照合し、双方の送信元アドレスの一致／不一致を判定するアドレス照合部３２と、アドレス照合部３２で一致と判定された場合にパケット発信を行い、不一致と判定された場合にパケット発信を行わないように制御するパケット発信制御部３６とを備えた。
【００３９】
これによって、移動端末機３０において、ＳＭＳメッセージに記述されたパケット発信先のＵＲＬが、当該移動端末機３０のユーザの意図するＵＲＬかどうかのチェックを行って、意図するＵＲＬの場合にのみ、そのＵＲＬへパケット発信を行うことができる。また、移動端末機３０において、ＳＭＳメッセージに記述された送信元アドレスのチェックを行って、ＳＭＳメッセージに信頼性があるか否かを判定することができる。
【００４０】
また、キー入力操作によってパケット発信許可の情報が設定されるパケット発信許可設定部３３を備え、パケット発信制御部３６は、ＵＲＬ照合部３８及びアドレス照合部３２の双方又は何れか一方で、不一致と判定された場合に、パケット発信許可設定部３３にパケット発信許可の情報が設定されていれば、パケット発信制御を行うようにした。
これによって、移動端末機３０において、ＳＭＳメッセージに記述されたパケット発信先のＵＲＬが、当該移動端末機３０のユーザの意図するＵＲＬでない場合でも、ユーザがパケット発信を許可していれば、そのＵＲＬへパケット発信を行うことができる。ＳＭＳメッセージに記述された送信元アドレスが、信頼性が無いと思われる場合でも、ユーザの裁量でパケット発信を許可することができるので、柔軟なパケット発信の制御を行うことが可能となる。
【００４１】
また、パケット発信許可設定部３３に、キー入力操作によってユーザへのパケット発信確認の情報を設定し、パケット発信制御部３６は、ＵＲＬ照合部３８及びアドレス照合部３２の双方又は何れか一方で、不一致と判定された場合に、パケット発信許可設定部３３にパケット発信確認の情報が設定されていれば、ユーザにパケット発信を行うか否かの確認の内容を表示手段に表示し、この表示内容に応じてユーザがパケット発信の許可を入力した際にパケットを発信する制御を行うようにした。
【００４２】
これによって、移動端末機３０において、ユーザの意図とことなるＵＲＬへのパケット発信を必ずしも自動的に排除するばかりでなく、ユーザが、そのＵＲＬを確認して許可を与えれば、そのＵＲＬへパケット発信を行うことができるので、より柔軟なパケット発信の制御を行うことが可能となる。また、ＳＭＳメッセージに記述された送信元アドレスが、信頼性が無いと思われる場合でも、ユーザの裁量でパケット発信を許可することができるので、柔軟なパケット発信の制御を行うことが可能となる。
【図面の簡単な説明】
【００４３】
【図１】本発明の実施の形態に係るショートメッセージサービスを用いたパケット着信制御システムの構成を示すブロック図である。
【図２】上記のパケット着信制御システムにおける移動端末機の構成を示すブロック図である。
【図３】上記のパケット着信制御システムにおけるパケット着信制御処理の動作を説明するためのフローチャートである。
【符号の説明】
【００４４】
１０  移動通信ネットワーク
１１  無線基地局
１２  プッシュゲートウェイ装置
１３  プッシュイニシエータ装置
１４  パケット交換機
１５  パケットゲート交換機
２０  ＩＳＰ
３０  移動端末機
３１  ＳＭＳ送信元アドレス記憶部
３２  アドレス照合部
３３  パケット発信許可設定部
３５  表示部
３６  パケット発信制御部
３７  パケット発信許容ＵＲＬ記憶部
３８  ＵＲＬ照合部
【図１】
2008306745.tif 000003
【図２】
2008306745.tif 000004
【図３】
2008306745.tif 000005